(57)【要約】【課題】表示部とその近傍部材が曇ることを防ぎ視認性を高めた加熱調理器を提供することを目的とする。【解決手段】表示部１１とその近傍部材の少なくとも一方に防曇手段１５を施したものである。これによって、冷却風とともに調理器本体内に吸引された水蒸気に対し、防曇手段１５が作用して表示部１１とその近傍部材が曇らず、視認性を高めることができる。【選択図】図３
2006073423.tif 000002
【特許請求の範囲】
【請求項１】
調理器本体と、前記調理器本体の天面を構成し鍋などの被加熱物を載置するトッププレートと、前記トッププレートの下方に設けた加熱部と、前記加熱部に電力を供給する電源部と、前記電源部に冷却風を送風する冷却ファンと、前記電源部の制御を行う調理器本体の外部に設けた操作部と、前記電源部の動作を表示する表示部と、前記表示部を覆うパネルシートとを有し、前記表示部とその近傍部材の少なくとも一方に防曇手段を施した加熱調理器。
【請求項２】
表示部の上面と表示部の近傍部材としてのパネルシートの内面との少なくとも一方に、防曇手段としての防曇表面処理を施した請求項１に記載の加熱調理器。
【請求項３】
パネルシートと表示部の間に、表示部を保護するように表示部カバーを設け、前記表示部カバーに防曇手段を施した請求項１または２に記載の加熱調理器。
【請求項４】
表示部とパネルシートの間に表示部の周囲を覆って防曇手段としてのシール材を設けた請求項１または２に記載の加熱調理器。
【請求項５】
表示部カバーとパネルシートの間に表示部カバーの周囲を覆って防曇手段としてのシール材を設けた請求項３に記載の加熱調理器。
【請求項６】
表示部カバーと表示部の間に表示部の周囲を覆って防曇手段としてのシール材を設けた請求項３または５に記載の加熱調理器。
【発明の詳細な説明】
【技術分野】
【０００１】
本発明は、電源部の動作を表示する表示部に特長を有する加熱調理器に関するものである。
【背景技術】
【０００２】
従来、加熱調理器の構成としては、機器の運転を制御する操作部および表示部を含む操作部ユニットが調理器本体の外部に近い前面もしくは天面に配され、調理器本体内の電源部と配線で接続されている（例えば、特許文献１参照）。
【特許文献１】特開２００２−２１３７５５号公報
【発明の開示】
【発明が解決しようとする課題】
【０００３】
しかしながら、前記従来の構成では、電源部などを冷却するための冷却風がその構成上、操作部ユニットの内部に入り込むものである。冷却風は電源部などから熱を得ているため、調理器本体の外部の空気温度と比較して高温となる。さらに、調理器本体の上面において加熱調理を行っている際に被調理物から発生した水蒸気が、調理器本体の上面に配された吸気口から冷却風とともに調理器本体内に吸引される。その結果、操作部ユニットに進入した水蒸気が、表示部において冷却され水分が凝集し、表示部が曇り視認性に欠けるという課題を有していた。
【０００４】
本発明は、前記従来の課題を解決するもので、表示部とその近傍部材が曇ることを防ぎ視認性を高めた加熱調理器を提供することを目的とする。
【課題を解決するための手段】
【０００５】
前記従来の課題を解決するために、本発明の加熱調理器は、表示部とその近傍部材の少なくとも一方に防曇手段を施したものである。
【０００６】
これによって、冷却風とともに調理器本体内に吸引された水蒸気に対し、防曇手段が作用して表示部とその近傍部材が曇らず、視認性を高めることができる。
【発明の効果】
【０００７】
本発明の加熱調理器は、表示部とその近傍部材が曇ることなく、視認性を高めることができる。
【発明を実施するための最良の形態】
【０００８】
第１の発明は、調理器本体と、前記調理器本体の天面を構成し鍋などの被加熱物を載置するトッププレートと、前記トッププレートの下方に設けた加熱部と、前記加熱部に電力を供給する電源部と、前記電源部に冷却風を送風する冷却ファンと、前記電源部の制御を行う調理器本体の外部に設けた操作部と、前記電源部の動作を表示する表示部と、前記表示部を覆うパネルシートとを有し、前記表示部とその近傍部材の少なくとも一方に防曇手段を施した加熱調理器とすることにより、冷却風とともに調理器本体内に吸引された水蒸気に対し、防曇手段が作用して表示部とその近傍部材が曇らず、視認性を高めることができる。
【０００９】
第２の発明は、特に、第１の発明において、表示部の上面と表示部の近傍部材としてのパネルシートの内面との少なくとも一方に、防曇手段としての防曇表面処理を施したことにより、防曇表面処理により、表示部やパネルシートが曇らず、視認性を高めることができる。
【００１０】
第３の発明は、特に、第１または第２の発明において、パネルシートと表示部の間に、表示部を保護するように表示部カバーを設け、前記表示部カバーに防曇手段を施したことにより、冷却風とともに調理器本体内に吸引された水蒸気に対し、防曇手段が作用して表示部カバーが曇らず、視認性を高めることができる。
【００１１】
第４の発明は、特に、第１または第２の発明において、表示部とパネルシートの間に表示部の周囲を覆って防曇手段としてのシール材を設けたことにより、表示部とパネルシートの間に、冷却風と水蒸気が流れ込むのを防止でき、表示部とパネルシートが曇ることを防ぎ、視認性を高めることができる。
【００１２】
第５の発明は、特に、第３の発明において、表示部カバーとパネルシートの間に表示部カバーの周囲を覆って防曇手段としてのシール材を設けたことにより、表示部カバーとパネルシートの間に、冷却風と水蒸気が流れ込むのを防止でき、表示部カバーとパネルシートが曇ることを防ぎ、視認性を高めることができる。
【００１３】
第６の発明は、特に、第３または第５の発明において、表示部カバーと表示部の間に表示部の周囲を覆って防曇手段としてのシール材を設けたことにより、表示部カバーと表示部の間に、冷却風と水蒸気が流れ込むのを防止でき、表示部カバーと表示部が曇ることを防ぎ、視認性を高めることができる。
【００１４】
以下、本発明の実施の形態について、図面を参照しながら説明する。なお、本実施の形態によって本発明が限定されるものではない。
【００１５】
（実施の形態１）
図１〜図３は、本発明の実施の形態１における加熱調理器を示すものである。
【００１６】
本実施の形態における加熱調理器は、一例として誘導加熱調理器を示しているものであり、調理器本体１と、前記調理器本体１の天面を構成し鍋などの被加熱物を載置するトッププレート２と、前記トッププレート２とパネルシート４とを設け調理器本体１上に装備するトップフレーム３と、前記トッププレート２の下方に設けた加熱コイルよりなる加熱部５と、前記加熱部５に電力を供給する電源部６と、前記電源部６に冷却風を送風する冷却ファン７と、前記トップフレーム３の後方に設け冷却ファン７が送風する冷却風を吸気する吸気口８および排気する排気口９と、前記電源部６の制御を行う調理器本体１の外部に設けた複数の操作部１０と、前記電源部６の動作を表示する複数の表示部１１と、前記操作部１０および表示部１１を格納した操作部ユニット１２と、前記操作部１０および表示部１１を電源部６へ接続する配線１３とを備えている。そして、操作部ユニット１２に格納された表示部１１はパネルシート４によりその上方が覆われ、パネルシート４の透視部４ａに臨んでいる。
【００１７】
また、前記表示部１１とその近傍部材であるパネルシート４の少なくとも一方には防曇手段１５を施してある。この実施の形態においては、防曇手段１５をパネルシート４の透視部４ａ内面に施した例を示しているが、表示部１１の上面に施してもよく、また両者に施した場合であってもよい。
【００１８】
本実施の形態において、防曇手段１５とは、防曇処理する対象となる表示部１１とパネルシート４の間（表示部１１とパネルシート４を含む）にある部材の表面に、水との接触角を小さくするような親水性ポリマーを原料とするコーティング剤などを印刷やコーティングなどの手法を用いて施すこと、または、脂肪酸エステル系などの添加剤を防曇処理する対象となる部材に予め練りこみ成型すること、または、微細な凹凸を部材の表面に施すなどの加工を行い、水との接触角を減少させ表面の親水性を向上させることなどの防曇表面処理を指す。
【００１９】
以上のように構成された加熱調理器について、以下その動作、作用を説明する。
【００２０】
まず、上記構成において、操作部ユニット１２を組み立てる際にある程度の隙間が操作部ユニット１２の嵌合部に必要である。また、操作部ユニット１２からは操作部１０や表示部１１と調理器本体１内部にある電源部６を接続する配線１３が存在する。従って、操作部ユニット１２には前記配線１３を通す穴が必要となる。前記嵌合部の隙間や配線用の穴からは、電源部６などを冷却するための冷却風が調理器本体１内部を通じて操作部ユニット１２の内部に入る。前記冷却風は電源部６などから熱を得ているために調理器本体１外部の空気の温度と比較して高温である。さらに、調理器本体１の上面において加熱調理を行っている時に被調理物から発生した水蒸気が、調理器本体１上面に配された吸気口８から冷却風とともに調理器本体１内部に吸引される。その結果、水蒸気が操作部ユニット１２に入る。冷却風とともに調理器本体１内部に吸引された前記水蒸気が調理器本体１の外部近傍に配置されているパネルシート４の内側において冷却され、前記冷却風に含まれる水分が凝集しようとする。パネルシート４の内側に防曇手段１５を施したことにより水分が凝集し、パネルシート４の内側に付着しても曇ることを防ぐことができる。
【００２１】
防曇手段１５は調理器本体１外部と内部の温度差などに影響し、同じ部品において温度差が生じる部品に必要となる。さらに、最も温度差のある部品の高温側、もしくは低温側のいずれか一方または両方に施すと防曇処理の効果が高い。防曇手段１５には表示部１１が見えるように透明性が必要となる。同様に表示部１１から調理器本体１外部の間にある部品には表示部１１が見えるように透明性が必要となる。さらに、加熱調理後もある一定時間、冷却ファン７を動作させ調理器本体１内部の水蒸気を外部へと放出し表示部が曇ることを防ぐ構成としてもよい。
【００２２】
以上のように、本実施の形態においては、操作部ユニット１２内部に、冷却風とともに水蒸気が進入しても、前記パネルシート４の内側が曇ることを防ぎ、視認性を高めた表示部１１を持つ加熱調理器とすることができる。
【００２３】
（実施の形態２）
図４は、本発明の実施の形態２における加熱調理器の表示部構成を示すものである。基本的な構成は実施の形態１と同様であるため、同一要素については同一符号を付して説明を省略する。
【００２４】
本実施の形態においては、操作部ユニット１２に格納されている表示部１１とパネルシート４の間に、前記表示部１１を覆って保護する平板状の表示部カバー１４を有し、前記表示部カバー１４の少なくとも片面に防曇手段１５を施している。他は実施の形態１と同様である。
【００２５】
以上のように構成された加熱調理器について、以下その動作、作用を説明する。
【００２６】
上記構成において操作部ユニット１２の内部に、前記冷却風とともに水蒸気が進入する。進入した前記水蒸気が調理器本体１の外部近傍に配置されている表示部カバー１４の少なくとも片面において冷却され、水分が凝集しようとする。表示部カバー１４の少なくとも片面には防曇手段１５を施したことにより水分が凝集し、表示部カバー１４の少なくとも片面に付着したとしても曇ることを防ぐことができる。
【００２７】
以上のように、本実施の形態においては、操作部ユニット１２の内部に、冷却風とともに水蒸気が進入したとしても、表示部カバー１４が曇ることを防ぎ視認性を高めた表示部１１を持つ加熱調理器とすることができる。
【００２８】
（実施の形態３）
図５は、本発明の実施の形態３における加熱調理器の表示部構成を示すものである。基本的な構成は実施の形態１と同様であるため、同一要素については同一符号を付して説明を省略する。
【００２９】
本実施の形態においては、操作部ユニット１２に格納されている表示部１１の上面に防曇手段１５を施している。他は実施の形態１と同様である。
【００３０】
以上のように構成された加熱調理器について、以下その動作、作用を説明する。
【００３１】
上記構成において操作部ユニット１２内部に、前記冷却風とともに水蒸気が進入する。進入した前記水蒸気が調理器本体１の外部近傍に配置されている表示部１１の上面において冷却され、水分が凝集しようとする。表示部１１の上面には防曇手段１５を施していることにより水分が凝集し、表示部１１の上面に付着したとしても曇ることを防ぐことができる。
【００３２】
以上のように、本実施の形態においては、操作部ユニット１２の内部に、冷却風とともに水蒸気が進入したとしても、表示部１１が曇ることを防ぎ視認性を高めた表示部１１を持つ加熱調理器とすることができる。
【００３３】
（実施の形態４）
図６は、本発明の実施の形態４における加熱調理器の表示部構成を示すものである。基本的な構成は実施の形態１と同様であるため、同一要素については同一符号を付して説明を省略する。
【００３４】
本実施の形態においては、表示部１１と操作部ユニット１２を覆い外観となるパネルシート４の間に、電源部６などを冷却するための冷却風とともに調理器本体１内部に吸引される水蒸気が流れ込むのを防止するため、前記表示部１１と前記パネルシート４との間で表示部１１の周囲に、防曇手段１５としてのリング状をした第１のシール材２０を有する構成とし、表示部１１およびパネルシート４が曇ることを防いでいる。さらに、シール材２０を設けることで、表示部１１の上に空気の層を設けるような構成となるために、調理器本体１外部の空気によって表示部１１が冷却されにくく、水分が凝集しにくくなる。
【００３５】
防曇手段１５としてのシール材２０には、ゴムなどの弾性体を用いてもよい。さらに、シール材２０には断熱効果の高い材質、もしくは構造を持つものを用いてもよい。また、シール材２０を取り付ける箇所に溝や糸リブなどを設け密閉しやすい構成としてもよい。表示部１１と調理器本体１外部の間にある部品同士の間にシール材２０を設けてもよい。シール材２０と実施の形態１における防曇表面処理を併用することにより、シール材２０を調理器本体１に組み立てる際、水蒸気が表示部近傍の部品の間に進入しても表示部１１が曇ることを一層効果的に防ぐことができる。
【００３６】
以上のように、本実施の形態においては、操作部ユニット１２の内部に、冷却風とともに水蒸気が進入したとしても、表示部１１が曇ることを防ぎ視認性を高めた表示部１１を持つ加熱調理器とすることができる。
【００３７】
（実施の形態５）
図７は、本発明の実施の形態５における加熱調理器の表示部構成を示すものである。基本的な構成は実施の形態１、４と同様であるため、同一要素については同一符号を付して説明を省略する。
【００３８】
本実施の形態においては、表示部１１を保護する表示部カバー１４とパネルシート４の間に電源部６などを冷却するための冷却風とともに調理器本体１の内部に吸引される水蒸気が流れ込むのを防止するため、前記表示部カバー１４と前記パネルシート４との間で表示部カバー１４の周囲に、防曇手段１５としてのリング状をした第２のシール材２１を有する構成とし、表示部カバー１４およびパネルシート４が曇ることを防いでいる。さらに、表示部１１の上に空気の層を設けるような構成となるために、調理器本体１外部の空気によって表示部１１が冷却されにくく、水分が凝集しにくくなる。
【００３９】
防曇手段１５としてのシール材２１には、実施の形態４と同様な材質、構成、配置、使用とすることができる。
【００４０】
以上のように、本実施の形態においては、操作部ユニット１２の内部に、冷却風とともに水蒸気が進入したとしても、表示部１１が曇ることを防ぎ視認性を高めた表示部１１を持つ加熱調理器とすることができる。
【００４１】
（実施の形態６）
図８は、本発明の実施の形態６における加熱調理器の表示部構成を示すものである。基本的な構成は実施の形態１、４、５と同様であるため、同一要素については同一符号を付して説明を省略する。
【００４２】
本実施の形態においては、表示部１１を保護する表示部カバー１４と表示部１１の間に電源部６などを冷却するための冷却風とともに調理器本体１の内部に吸引される水蒸気が流れ込むのを防止するため、前記表示部カバー１４と前記表示部１１との間で表示部１１の周囲に、防曇手段１５としてのリング状をした第３のシール材２２を有する構成とし、表示部カバー１４および表示部１１が曇ることを防いでいる。さらに、表示部１１の上に空気の層を設けるような構成となるために、調理器本体１外部の空気によって表示部１１が冷却されにくく、水分が凝集しにくくなる。防曇手段１５としてのシール材２２は、実施の形態５と同様である。
【００４３】
以上のように、本実施の形態においては、操作部ユニット１２の内部に、冷却風とともに水蒸気が進入したとしても、表示部１１が曇ることを防ぎ視認性を高めた表示部１１を持つ加熱調理器とすることができる。
【００４４】
上記した各実施の形態１〜６における構成は、必要に応じて適宜組み合わせて使用することができるものであり、実施の形態そのものに限られるものではない。
【産業上の利用可能性】
【００４５】
以上のように、本発明にかかる加熱調理器は、表示部とその近傍部材が曇ることなく、視認性を高めることができるので、誘導加熱調理器はじめ他の同じような構成の調理機器などにも適用できる。
【図面の簡単な説明】
【００４６】
【図１】本発明の実施の形態１における加熱調理器の分解斜視図
【図２】同加熱調理器の要部の分解斜視図
【図３】同加熱調理器の要部の部分断面図
【図４】本発明の実施の形態２における加熱調理器の要部の部分断面図
【図５】本発明の実施の形態３における加熱調理器の要部の部分断面図
【図６】本発明の実施の形態４における加熱調理器の要部の部分断面図
【図７】本発明の実施の形態５における加熱調理器の要部の部分断面図
【図８】本発明の実施の形態６における加熱調理器の要部の部分断面図
【符号の説明】
【００４７】
１  調理器本体
２  トッププレート
３  トップフレーム
４  パネルシート
４ａ  透視部
５  加熱部
６  電源部
７  冷却ファン
１０  操作部
１１  表示部
１２  操作部ユニット
１３  配線
１４  表示部カバー
１５  防曇手段
２０  第１のシール材
２１  第２のシール材
２２  第３のシール材
【図１】
2006073423.tif 000003
【図２】
2006073423.tif 000004
【図３】
2006073423.tif 000005
【図４】
2006073423.tif 000006
【図５】
2006073423.tif 000007
【図６】
2006073423.tif 000008
【図７】
2006073423.tif 000009
【図８】
2006073423.tif 000010